【手続補正書】
【提出日】平成30年8月22日(2018.8.22)
【手続補正１】
【補正対象書類名】明細書
【補正対象項目名】発明の名称
【補正方法】変更
【補正の内容】
【発明の名称】情報処理装置及びその制御方法
【手続補正２】
【補正対象書類名】明細書
【補正対象項目名】０００１
【補正方法】変更
【補正の内容】
【０００１】
本発明は、情報処理装置及びその制御方法に関し、特に、構成が変更される情報処理装置及びその制御方法に関する。
【手続補正３】
【補正対象書類名】明細書
【補正対象項目名】０００８
【補正方法】変更
【補正の内容】
【０００８】
本発明の目的は、低コストで適切な冷却を実行することができる情報処理装置及びその制御方法を提供することにある。
【手続補正４】
【補正対象書類名】明細書
【補正対象項目名】０００９
【補正方法】変更
【補正の内容】
【０００９】
上記目的を達成するために、本発明の情報処理装置は、冷却装置と、温度センサと、複数の所定の記憶装置が接続可能な接続部と、制御部と、を備え、前記制御部は、前記接続部に１つの前記記憶装置が接続されている場合、所定の電力モードにおいて前記温度センサの検知結果に従って前記冷却装置を制御し、前記接続部に複数の前記記憶装置が接続されている場合、前記所定の電力モードにおいて前記温度センサの検知結果を用いずに前記冷却装置を制御することを特徴とする。
【手続補正５】
【補正対象書類名】明細書
【補正対象項目名】００１０
【補正方法】変更
【補正の内容】
【００１０】
また、上記目的を達成するために、本発明の情報処理装置は、冷却装置と、温度センサと、複数の所定の記憶装置が接続可能に構成された接続部と、制御部と、を備え、前記制御部は、所定の電力モードにおいて、複数の記憶装置に同じデータを記憶するミラーリング制御が適用されていない場合、前記温度センサの検知結果に従って前記冷却装置を制御し、前記ミラーリング制御が適用されている場合、前記温度センサの検知結果を用いずに前記冷却装置を制御することを特徴とする。
【手続補正６】
【補正対象書類名】特許請求の範囲
【補正対象項目名】全文
【補正方法】変更
【補正の内容】
【特許請求の範囲】
【請求項１】
冷却装置と、
温度センサと、
複数の所定の記憶装置が接続可能な接続部と、
制御部と、を備え、
前記制御部は、前記接続部に１つの前記記憶装置が接続されている場合、所定の電力モードにおいて前記温度センサの検知結果に従って前記冷却装置を制御し、前記接続部に複数の前記記憶装置が接続されている場合、前記所定の電力モードにおいて前記温度センサの検知結果を用いずに前記冷却装置を制御することを特徴とする情報処理装置。
【請求項２】
前記制御部への電力供給が停止されるスリープモード又は前記制御部に電力が供給されるスタンバイモードへ移行可能であり、
前記制御部は、前記接続部に１つの前記記憶装置が接続されている場合、前記所定の電力モードである前記スタンバイモードにおいて前記温度センサの検知結果に従って前記冷却装置を制御し、前記スリープモードにおいて前記冷却装置を制御しないことを特徴とする請求項１記載の情報処理装置。
【請求項３】
ジョブを実行しているジョブ実行モードへ移行可能であり、
前記制御部は、前記接続部に１つの前記記憶装置が接続されている場合、前記ジョブ実行モードにおいて前記冷却装置を動作させることを特徴とする請求項２記載の情報処理装置。
【請求項４】
前記制御部は、前記接続部に複数の前記記憶装置が接続されている場合、前記スタンバイモードにおいて前記冷却装置を動作させ、前記スリープモードにおいて前記冷却装置を動作させないことを特徴とする請求項２又は３記載の情報処理装置。
【請求項５】
前記接続部に１つの前記記憶装置が接続され、前記温度センサによって検知された温度が所定の温度以上である場合、前記制御部は、前記所定の電力モードにおいて前記冷却装置を動作させることを特徴とする請求項１乃至４のいずれか１項に記載の情報処理装置。
【請求項６】
前記接続部に１つの前記記憶装置が接続され、前記温度センサによって検知された温度が所定の温度以下である場合、前記制御部は、前記所定の電力モードにおいて前記冷却装置を動作させないことを特徴とする請求項１乃至５のいずれか１項に記載の情報処理装置。
【請求項７】
前記複数の記憶装置の各々はハードディスクドライブであることを特徴とする請求項１乃至６のいずれか１項に記載の情報処理装置。
【請求項８】
前記接続部に１つの前記記憶装置が接続されている場合、前記制御部は、前記所定の電力モードにおいて前記温度センサの検知結果及び前記記憶装置から取得した前記記憶装置の温度情報に従って前記冷却装置を制御することを特徴とする請求項１乃至７のいずれか１項に記載の情報処理装置。
【請求項９】
用紙に画像を印刷する印刷部をさらに備えることを特徴とする請求項１乃至８のいずれか１項に記載の情報処理装置。
【請求項１０】
前記制御部は、所定の時間間隔で前記温度センサから出力された温度を取得し、前記取得した温度に従って前記冷却装置を制御することを特徴とする請求項１乃至９のいずれか１項に記載の情報処理装置。
【請求項１１】
前記制御部はプロセッサであり、前記温度センサは前記プロセッサの内部にあることを特徴とする請求項１乃至１０のいずれか１項に記載の情報処理装置。
【請求項１２】
前記接続部は、ＲＡＩＤコントローラである、ことを特徴とする請求項１乃至１１のいずれか１項に記載の情報処理装置。
【請求項１３】
冷却装置、温度センサ、及び、複数の所定の記憶装置が接続可能な接続部、を備える情報処理装置の制御方法であって、
前記接続部に１つの前記記憶装置が接続されている場合、所定の電力モードにおいて前記温度センサの検知結果に従って前記冷却装置を制御し、
前記接続部に複数の前記記憶装置が接続されている場合、前記所定の電力モードにおいて前記温度センサの検知結果を用いずに前記冷却装置を制御することを特徴とする情報処理装置の制御方法。
【請求項１４】
冷却装置と、
温度センサと、
複数の所定の記憶装置が接続可能に構成された接続部と、
制御部と、を備え、
前記制御部は、所定の電力モードにおいて、複数の記憶装置に同じデータを記憶するミラーリング制御が適用されていない場合、前記温度センサの検知結果に従って前記冷却装置を制御し、前記ミラーリング制御が適用されている場合、前記温度センサの検知結果を用いずに前記冷却装置を制御することを特徴とする情報処理装置。
【請求項１５】
前記制御部への電力供給が停止されるスリープモード又は前記制御部に電力が供給されるスタンバイモードへ移行可能であり、
前記制御部は、前記ミラーリング制御が適用されていない場合、前記所定の電力モードである前記スタンバイモードにおいて前記温度センサの検知結果に従って前記冷却装置を制御し、前記スリープモードにおいて前記冷却装置を制御しないことを特徴とする請求項１４記載の情報処理装置。
【請求項１６】
ジョブを実行しているジョブ実行モードへ移行可能であり、
前記制御部は、前記ミラーリング制御が適用されていない場合、前記ジョブ実行モードにおいて前記冷却装置を動作させることを特徴とする請求項１５記載の情報処理装置。
【請求項１７】
前記制御部は、前記ミラーリング制御が適用されている場合、前記スタンバイモードにおいて前記冷却装置を動作させ、前記スリープモードにおいて前記冷却装置を動作させないことを特徴とする請求項１５又は１６記載の情報処理装置。
【請求項１８】
前記ミラーリング制御が適用されず、前記温度センサによって検知された温度が所定の温度以上である場合、前記制御部は、前記所定の電力モードにおいて前記冷却装置を動作させることを特徴とする請求項１４乃至１７のいずれか１項に記載の情報処理装置。
【請求項１９】
前記ミラーリング制御が適用されず、前記温度センサによって検知された温度が所定の温度以下である場合、前記制御部は、前記所定の電力モードにおいて前記冷却装置を動作させないことを特徴とする請求項１４乃至１８のいずれか１項に記載の情報処理装置。
【請求項２０】
前記複数の記憶装置の各々はハードディスクドライブであることを特徴とする請求項１４乃至１９のいずれか１項に記載の情報処理装置。
【請求項２１】
前記ミラーリング制御が適用されていない場合、前記制御部は、前記所定の電力モードにおいて前記温度センサの検知結果及び前記記憶装置から取得した前記記憶装置の温度情報に従って前記冷却装置を制御することを特徴とする請求項１４乃至２０のいずれか１項に記載の情報処理装置。
【請求項２２】
用紙に画像を印刷する印刷部をさらに備えることを特徴とする請求項１４乃至２１のいずれか１項に記載の情報処理装置。
【請求項２３】
前記制御部は、所定の時間間隔で前記温度センサから出力された温度を取得し、前記取得した温度に従って前記冷却装置を制御することを特徴とする請求項１４乃至２２のいずれか１項に記載の情報処理装置。
【請求項２４】
前記制御部はプロセッサであり、前記温度センサは前記プロセッサの内部にあることを特徴とする請求項１４乃至２３のいずれか１項に記載の情報処理装置。
【請求項２５】
前記接続部は、ＲＡＩＤコントローラである、ことを特徴とする請求項１４乃至２４のいずれか１項に記載の情報処理装置。
【請求項２６】
冷却装置、温度センサ、及び、複数の所定の記憶装置が接続可能な接続部、を備える情報処理装置の制御方法であって、
複数の記憶装置に同じデータを記憶するミラーリング制御が適用されていない場合、前記温度センサの検知結果に従って前記冷却装置を制御し、
前記ミラーリング制御が適用されている場合、前記温度センサの検知結果を用いずに前記冷却装置を制御することを特徴とする情報処理装置の制御方法。